(57)【特許請求の範囲】
【請求項１】
紙管の一端に仕切板を設け、該仕切板に設けた通孔内に伝火薬を充填すると共に仕切板の外側に伝火薬を塗布し、紙管内に笛音剤を填め、この笛音剤に速火薬を接続し、この速火薬に着火薬を接続し、この着火薬によって紙管の他端を閉止して笛音花火とし、この笛音花火を、球状もしくは筒状の玉皮内に星と割火薬を填めた中に、前記着火薬部が玉皮から突出するように埋設したことを特徴とする打揚げ花火。
【請求項２】
請求項１において、笛音花火を、過塩素酸カリウム、安息香酸のアルカリ金属塩、フタル酸のアルカリ金属塩より構成したことを特徴とする打揚げ花火。
【請求項３】
請求項１において、笛音花火を、酸化銅、鉛丹、マグナリウム、アルミニウム等を主剤とするテルミット剤にバインダーを加えて固めた粒状物にした閃光破裂音粒と、
過塩素酸カリウム、安息香酸のアルカリ金属塩、フタル酸のアルカリ金属塩による笛音剤とから構成したことを特徴とする打揚げ花火。
【請求項４】
請求項１において、笛音花火を、過塩素酸カリウム、安息香酸のアルカリ金属塩、フタル酸のアルカリ金属塩およびチタン等の金属粉による笛音を有する花火用和剤より構成したことを特徴とする打揚げ花火。
【請求項５】
請求項１において、笛音花火を、酸化銅、鉛丹、マグナリウム、アルミニウム等を主剤とするテルミット剤にバインダーを加えて固めた粒状物にした閃光破裂音粒と、
過塩素酸カリウム、安息香酸のアルカリ金属塩、フタル酸のアルカリ金属塩およびチタン等の金属粉による笛音を有する花火用和剤とから構成したことを特徴とする打揚げ花火。
【発明の詳細な説明】
【０００１】
【産業上の利用分野】
本発明は、導火線を用いない打揚げ花火に関する。
【０００２】
【従来の技術】
従来の打揚げ花火玉の容器には、導火線やその代わりになる火薬が取り付けられている。
この導火線は一般に約５〜６ｍｍ程度の径のものが用いられている。これらの導火線の端末は、近年、不発玉が生じないように必ず黒色火薬系の着火薬を塗布したり、着火線といわれる綿糸に黒色火薬系の着火薬を塗布したものが取り付けられるようになっている。
【０００３】
これによって、導火線端末の着火面積を増大させることは不点火防止という安全性向上の効果を得ている。
【０００４】
【発明が解決しようとする課題】
しかし、上記従来技術によると、打揚げ花火の導火線は着火後、着火した側の方向に燃焼ガスと極めて小さい火の粉を連続的に噴出させて燃焼するだけであり、緩衝に耐えるものではないという決定的な問題がある。
【０００５】
【課題を解決するための手段】
そこで本発明は、紙管の一端に仕切板を設け、該仕切板に設けた通孔内に伝火薬を充填すると共に仕切板の外側に伝火薬を塗布し、紙管内に笛音剤を填め、この笛音剤に速火薬を接続し、この速火薬に着火薬を接続し、この着火薬によって紙管の他端を閉止して笛音花火とし、この笛音花火を、球状もしくは筒状の玉皮内に星と割火薬を填めた中に、前記着火薬部が玉皮から突出するように埋設したことを特徴とする。
【０００６】
【作用】
このような構成によると、筒状笛音花火は笛音と同時に明るい火の粉を連続的に噴出するために、花火球の上昇時に観賞効果の大きい演出をすることができる打揚げ花火となる。
【０００７】
【実施例】
以下に本発明の実施例を説明する。
実施例１
（１）      過塩素酸カリウム７０重量部、安息香酸カリウム２０重量部、フタル酸のアルカリ金属塩１０重量部を混合し、ニトロセルローズ系のバインダーを適量加えて顆粒状の笛音剤を得た。
【０００８】
（２）      このようにした笛音剤を筒体に填め、玉の大きさや目的に応じた長さの笛音花火を得る。例えば、内径９ｍｍ、外径１３．５ｍｍ、長さ７０ｍｍの紙管に薬長４０ｍｍ圧填すると、燃焼時間は５秒を正確に維持することができる。つまり、半分の２０ｍｍにすれば２．５秒となる。
この笛音花火は、図１に示す如く、紙管１の一端に仕切板２を設け、この仕切板２に通孔３をあけ、この通孔３内と仕切板２外側に黒色火薬による伝火薬４を充填塗布しておく。このようにした紙管１内に上記の如く所望量の笛音剤５を填め、この笛音剤５に速火線６を接続して紙管１端までもしくはそれより少し長くなるようにし、さらにこの速火線６に黒色火薬による着火薬７を接続し、この着火薬７によって紙管１の他端を閉止して笛音花火８とする。なお、上記速火線６は、点火装置であり、火薬紐に薄紙のカバーを施したものである。
【０００９】
このようにした笛音花火８は、図２に示す如く、通常の花火玉に従来の導火線と同様に装着されるもので、玉皮９内に星１０と割火薬１１を填めた中に着火薬７部を玉皮９から突出させて埋設したものである。
また、このようにした笛音花火８は、図３に示す如く、通常の筒状の花火玉に従来の導火線と同様に装着されるもので、両端開口を蓋１２、１３によって閉じた筒体９内に星１０と割火薬１１を填めた中に着火薬７部を蓋１３から突出させて埋設し、その蓋１３に打揚火薬１４を充填させ、黒色火薬を塗布した薄紙１５で覆ったものである。
【００１０】
実施例２
（１）      酸化銅３５重量部、鉛丹２５重量部、マグナリウム３０重量部、アルミニウム１０重量部をよく混和してテルミット剤とし、ニトロセルローズ系のバインダーを適量加えて粒状物とする。これを十分乾燥させて粒度をそろえて閃光破裂音粒とする。
【００１１】
（２）      過塩素酸カリウム７０重量部、安息香酸カリウム２０重量部、フタル酸のアルカリ金属塩１０重量部を混合し、ニトロセルローズ系のバインダーを適量加えて顆粒状の笛音剤を得た。
（３）    （１）の閃光破裂音粒３０重量部を、（２）  の笛音剤１００重量部に加えてよく混和して目的の笛音用花火和剤を得た。
【００１２】
（４）      この笛音用花火和剤を所望の紙管に填めて図１に示す如く、紙管１の一端に仕切板２を設け、この仕切板２に通孔３をあけ、この通孔３内と仕切板２外側に黒色火薬による伝火薬４を充填塗布しておく。このようにした紙管１内に上記の如く所望量の笛音用花火和剤５を填め、この笛音用花火和剤５に速火線６を接続して紙管１端までもしくはそれより少し長くなるようにし、さらにこの速火線６に黒色火薬による着火薬７を接続し、この着火薬７によって紙管１の他端を閉止して笛音花火８とする。なお、上記速火線６は、点火装置であり、火薬紐に薄紙のカバーを施したものである。
【００１３】
このようにした笛音花火８は、上記実施例と同様に図２に示す如く、通常の花火玉に従来の導火線と同様に装着されるもので、玉皮９内に星１０と割火薬１１を填めた中に着火薬７部を玉皮９から突出させて埋設したものである。
また、このようにした笛音花火８は、上記実施例と同様に図３に示す如く、通常の筒状の花火玉に従来の導火線と同様に装着されるもので、両端開口を蓋１２、１３によって閉じた筒体９内に星１０と割火薬１１を填めた中に着火薬７部を蓋１３から突出させて埋設し、その蓋１３に打揚火薬１４を充填し、それを黒色火薬を塗布した薄紙１５で覆ったものである。
【００１４】
実施例３
（１）      過塩素酸カリウム５６重量部、安息香酸カリウム２４重量部、チタン等の金属粉２０重量部を混合し、ニトロセルローズ系のバインダーを適量加えて顆粒状の笛音を有する花火用和剤を得た。
（２）      このようにした笛音を有する花火用和剤を筒体に填め、玉の大きさや目的に応じた長さの笛音花火を得る。
【００１５】
この笛音花火は、図１に示す如く、紙管１の一端に仕切板２を設け、この仕切板２に通孔３をあけ、この通孔３内と仕切板２外側に黒色火薬による伝火薬４を充填塗布しておく。このようにした紙管１内に上記の如く所望量の笛音剤５を填め、この笛音剤５に速火線６を接続して紙管１端までもしくはそれより少し長くなるようにし、さらにこの速火線６に黒色火薬による着火薬７を接続し、この着火薬７によって紙管１の他端を閉止して笛音花火８とする。なお、上記速火線６は、点火装置であり、火薬紐に薄紙のカバーを施したものである。
【００１６】
このようにした笛音花火８は、上記実施例と同様に図２に示す如く、通常の花火玉に従来の導火線と同様に装着されるもので、玉皮９内に星１０と割火薬１１を填めた中に着火薬７部を玉皮９から突出させて埋設したものである。
また、このようにした笛音花火８は、上記実施例と同様に図３に示す如く、通常の筒状の花火玉に従来の導火線と同様に装着されるもので、両端開口を蓋１２、１３によって閉じた筒体９内に星１０と割火薬１１を填めた中に着火薬７部を蓋１２から突出させて埋設し、その蓋１２に打揚火薬１４を充填させ、黒色火薬を塗布した薄紙１５で覆ったものである。
【００１７】
実施例４
（１）      酸化銅３５重量部、鉛丹２５重量部、マグナリウム３０重量部、アルミニウム１０重量部をよく混和してテルミット剤とし、ニトロセルローズ系のバインダーを適量加えて粒状物とする。これを十分乾燥させて粒度をそろえて閃光破裂音粒とする。
【００１８】
（２）      過塩素酸カリウム５６重量部、安息香酸カリウム２４重量部、チタン等の金属粉２０重量部を混合し、ニトロセルローズ系のバインダーを適量加えて顆粒状の笛音を有する花火用和剤を得た。
（３）    （１）の閃光破裂音粒３０重量部を、（２）  の笛音を有する花火用和剤１００重量部に加えてよく混和して目的の笛音用花火和剤を得た。
【００１９】
（４）      この笛音用花火和剤を所望の紙管に填めて図１に示す如く、紙管１の一端に仕切板２を設け、この仕切板２に通孔３をあけ、この通孔３内と仕切板２外側に黒色火薬による伝火薬４を充填塗布しておく。このようにした紙管１内に上記の如く所望量の笛音用花火和剤５を填め、この笛音用花火和剤５に速火線６を接続して紙管１端までもしくはそれより少し長くなるようにし、さらにこの速火線６に黒色火薬による着火薬７を接続し、この着火薬７によって紙管１の他端を閉止して笛音花火８とする。なお、上記速火線６は、点火装置であり、火薬紐に薄紙のカバーを施したものである。
【００２０】
このようにした笛音花火８は、上記実施例と同様に図２に示す如く、通常の花火玉に従来の導火線と同様に装着されるもので、玉皮９内に星１０と割火薬１１を填めた中に着火薬７部を玉皮９から突出させて埋設したものであり、伝火薬４と同じような伝火薬によって中心付近まで伝わるようにしてある。
また、このようにした笛音花火８は、上記実施例と同様に図３に示す如く、通常の筒状の花火玉に従来の導火線と同様に装着されるもので、両端開口を蓋１２、１３によって閉じた筒体９内に星１０と割火薬１１を填めた中に着火薬７部を蓋１３から突出させて埋設し、その蓋１２に打揚火薬１４を充填させ、黒色火薬を塗布した薄紙１５で覆ったものである。
【００２１】
【発明の効果】
以上詳細に説明した本発明によると、導火線の個所に笛音花火を配置したことにより、筒状笛音花火は笛音と同時に明るい火の粉を連続的に噴出するために、花火球の上昇時に観賞効果の大きい演出をすることができる効果を有する。
【図面の簡単な説明】
【図１】笛音花火の実施例を示す断面図である。
【図２】笛音花火の実装例を示す断面図である。
【図３】笛音花火の実装例を示す断面図である。
【符号の説明】
１  紙管
２  仕切板
３  通孔
４  伝火薬
５  笛音剤
６  速火線
７  着火薬
【図１】
0003617673.tif 000002
【図２】
0003617673.tif 000003
【図３】
0003617673.tif 000004